(57)【要約】【課題】この発明は、ＬＡＮインターフェースを備えたデジタル放送受信機において、専用端子を設けることなく、ＶＴＲ等の外部機器を制御することが可能となるデジタル放送受信機を提供することを目的とする。【解決手段】ＬＡＮインターフェースを有するデジタル放送受信機において、ＬＡＮインターフェースに接続される赤外線送信ユニットを介して、外部機器を制御する手段を備えていることを特徴とする。外部機器は、例えば、ＶＴＲである。【選択図】  図１
2004336647.tif 000002
【特許請求の範囲】
【請求項１】
ＬＡＮインターフェースを有するデジタル放送受信機において、ＬＡＮインターフェースに接続される赤外線送信ユニットを介して、外部機器を制御する手段を備えていることを特徴とするデジタル放送受信機。
【請求項２】
外部機器がＶＴＲであることを特徴とする請求項１に記載のデジタル放送受信機。
【発明の詳細な説明】
【０００１】
【発明の属する技術分野】
この発明は、テレビ放送受信機に関する。
【０００２】
【従来の技術】
デジタル放送受信機として、ＶＴＲを制御するために、赤外線送信機を接続するための専用端子（例えば、ビデオナビ出力端子）が設けられているものがある。このようなデジタル放送受信機では、赤外線送信機を接続するための専用端子が必要である。
【０００３】
ところで、デジタル放送受信機として、テレビ放送受信機をインターネット等に接続するために、ＬＡＮインターフェースを備えたものが既に開発されている。
【０００４】
【発明が解決しようとする課題】
この発明は、ＬＡＮインターフェースを備えたデジタル放送受信機において、専用端子を設けることなく、ＶＴＲ等の外部機器を制御することが可能となるデジタル放送受信機を提供することを目的とする。
【０００５】
【課題を解決するための手段】
請求項１に記載の発明は、ＬＡＮインターフェースを有するデジタル放送受信機において、ＬＡＮインターフェースに接続される赤外線送信ユニットを介して、外部機器を制御する手段を備えていることを特徴とする。
【０００６】
請求項２に記載の発明は、請求項１に記載のデジタル放送受信機において、外部機器がＶＴＲであることを特徴とする。
【０００７】
【発明の実施の形態】
以下、図面を参照して、この発明の実施の形態について説明する。
【０００８】
図１は、デジタル放送受信機１００の構成を示している。
【０００９】
放送波は、アンテナ１を介してチューナ２に送られ、高周波処理および復調が行われる。チューナ２からの出力はＤＥＭＵＸ回路３に送られ、パケットの復号が行われる。
【００１０】
ＤＥＭＵＸ回路３において、パケットは、ＭＰＥＧデータと番組案内情報等の付属情報とに分別される。ＤＥＭＵＸ回路３によって分別されたＭＰＥＧデータは、ＡＶデコーダ４に送られる。ＤＥＭＵＸ回路３によって分別された番組案内情報等の付属情報は、システムコントローラ２０に送られる。
【００１１】
システムコントローラ２０は、この例では、ＥＥＰＲＯＭ等の電気的書き換え可能な不揮発性メモリからなるプログラムメモリ２１およびＲＡＭ等の揮発性メモリ２２を備えている。また、システムコントローラ２０には、有料番組の購入履歴等が記憶されるＩＣカード２３が接続されるＩＣカードコネクタ２４が接続されている。さらに、システムコントローラ２０には、電話回線に接続されるモデム２５が接続されている。
【００１２】
システムコントローラ２０は、ＤＥＭＵＸ回路３から送られてきた付属情報を、揮発性メモリ２２に格納する。システムコントローラ２０には、リモコン送信機１２からのリモコン信号がリモコン受光器１３を介して入力される。
【００１３】
システムコントローラ２０は、チューナ２およびＤＥＭＵＸ回路３に選局のための情報等を送る。また、システムコントローラ２０は、番組ガイド（ＥＰＧ）の他、各種操作画面をＣＲＴ８にオンスクリーン表示させるためのＯＳＤ制御信号を、ＯＳＤ表示回路１４に送る。ＯＳＤ表示回路１４は、番組ガイド、各種操作画面の表示データ（ＯＳＤ画面データ）を生成して、ＯＳＤ信号としてマルチプレクサ（合成回路）６に送る。
【００１４】
ＡＶデコーダ４は、ＤＥＭＵＸ回路３から送られてきたＭＰＥＧデータを復調する。ＡＶデコーダ４によって得られた映像信号は、映像処理回路５を介してマルチプレクサ６に送られる。マルチプレクサ６は、映像処理回路５から出力された映像データにＯＳＤ表示回路１４から送られてきた表示データをスーパーインポーズ処理して、映像出力回路７に送る。映像出力回路７から出力された映像信号は、ＣＲＴ８に送られる。
【００１５】
ＡＶデコーダ４によって得られた音声信号は、音声処理回路９および音声出力回路１０を介してスピーカ１１に送られる。
【００１６】
この実施の形態によるデジタル放送受信機１００は、ＬＡＮインターフェース３０を備えている。ＬＡＮインターフェース３０は、システムコントローラ２０に接続されている。
【００１７】
ＬＡＮインターフェース３０には、ＬＡＮケーブル４１を介してハブ（ｈｕｂ）４０が接続されている。ハブ４０は、ＬＡＮケーブル５１を介してインターネットに接続されている。また、ハブ４０には、ＬＡＮケーブル５２を介して第１の赤外線送信ユニット６１が接続されている。また、ハブ４０には、ＬＡＮケーブル５３を介して第２の赤外線送信ユニット６２が接続されている。
【００１８】
第１の赤外線送信ユニット６１は、第１のＶＴＲ２０１の赤外線受光部の近くに配置されている。第２の赤外線送信ユニット６２は、第２のＶＴＲ２０２の赤外線受光部の近くに配置されている。
【００１９】
第１および第２の赤外線送信ユニット６１、６２の構成および動作は同じであるので、ここでは、第１の赤外線送信ユニット６１の構成および動作についてのみ説明する。
【００２０】
図２は、赤外線送信ユニット６１の構成を示している。
【００２１】
赤外線送信ユニット６１は、デジタル放送受信機１００側のシステムコントローラ２０と通信を行うためのコントローラ（ＣＰＵ）７０を備えている。コントローラ７０は、ＬＡＮインターフェース７１、ＲＯＭ７２およびＲＡＭ７３を備えている。また、コントローラ７０には、ＬＥＤを含む赤外線送信部７４が接続されている。
【００２２】
ＬＡＮインターフェース７１は、ＬＡＮケーブル５２を介してデジタル放送受信機１００側のＬＡＮインターフェース３０に接続されている。ＲＯＭ７２には、コントローラ７０のプログラムおよび各社のリモコンコードが記憶されている。コントローラ７０には、デジタル放送受信機１００側のシステムコントローラ２０から、ＶＴＲ２０１の製造会社を表すデータと、ＶＴＲ２０１を制御するためのコマンドが送られてくる。
【００２３】
コントローラ７０は、ＲＯＭ７２に記憶されているＶＴＲ２０１の製造会社に対応したリモコンコードと、デジタル放送受信機１００側のシステムコントローラ２０から送られてきたコマンドとに基づいて、赤外線送信部７４を制御して、デジタル放送受信機１００側のシステムコントローラ２０から送られてきたコマンドに対応したリモコン信号を赤外線送信部７４から出力させる。
【００２４】
例えば、ＶＴＲ２０１に録画を開始させる場合には、システムコントローラ２０から電源オン指令および録画開始指令が順次送られてくるので、コントローラ７０は、電源オン指令に対応したリモコン信号および録画開始指令に対応したリモコン信号を赤外線送信部７４から順次出力させる。これにより、ＶＴＲ２０１の電源がオンにされ、ＶＴＲ２０１による録画が開始せしめられる。
【００２５】
また、録画を停止させる場合には、システムコントローラ２０から録画停止指令および電源オフ指令が順次送られてくるので、コントローラ７０は、録画停止指令に対応したリモコン信号および電源オフ指令に対応したリモコン信号を赤外線送信部７４から順次出力させる。これにより、ＶＴＲ２０１による録画が停止せしめられ、ＶＴＲ２０１の電源がオフにされる。
【００２６】
なお、ＶＴＲの製造会社に対応したリモコンコードがＲＯＭ７２に格納されていない場合には、デジタル放送受信機１００がインターネット等からそのＶＴＲの製造会社に対応したリモコンコードを取得し、取得したリモコンコードをそのＶＴＲの製造会社を表すデータとともに赤外線送信ユニット６１側に送るようにしてもよい。
【００２７】
【発明の効果】
この発明によれば、ＬＡＮインターフェースを備えたデジタル放送受信機において、専用端子を設けることなく、ＶＴＲ等の外部機器を制御することが可能となる。
【図面の簡単な説明】
【図１】デジタル放送受信機の構成を示すブロック図である。
【図２】赤外線送信ユニット６１の構成を示すブロック図である。
【符号の説明】
２０  システムコントローラ
３０  ＬＡＮインターフェース
４０  ハブ
６１、６２  赤外線送信ユニット
７０  コントローラ（ＣＰＵ）
７１  ＬＡＮインターフェース
７２  ＲＯＭ
７３  ＲＡＭ
７４  赤外線送信部
１００  デジタル放送受信機
２０１、２０２  ＶＴＲ
【図１】
2004336647.tif 000003
【図２】
2004336647.tif 000004